(57)【特許請求の範囲】
【請求項１】
公衆陸上モバイル・ネットワーク（ＰＬＭＮ）の加入者への課金の方法であって、
ａ．ホームＰＬＭＮ（ＨＰＬＭＮ）の加入者に対応するユーザ機器に関連する回路交換フォールバック（ＣＳＦＢ）モバイル終端ローミング転送（ＭＴＲＦ）コールについての少なくとも１つの課金データ・レコードを取得するために、前記ＨＰＬＭＮ内のホーム課金デバイスにおいて、少なくとも１つのローミング課金デバイスから課金データ・レコードを受信するステップであって、前記ユーザ機器は、前記ＣＳＦＢ  ＭＴＲＦコールの間に、前記少なくとも１つのローミング課金デバイスに対応する訪問先ＰＬＭＮ（ＶＰＬＭＮ）に対してローミングする、受信するステップと、
ｂ．前記ＣＳＦＢ  ＭＴＲＦコールについての統合されたターゲット課金データ・レコードを取得するために、前記ホーム課金デバイスにおいて、該ホーム課金デバイスで生成されたローカル課金データ・レコードと組み合わせて、前記少なくとも１つの課金データ・レコードに基づいて、統合処理を実行するステップと、
を含む、方法。
【請求項２】
前記ステップａは、
−  第１のローミング課金デバイスから第１の課金データ・レコードを受信するステップであって、前記ユーザ機器は、前記第１のローミング課金デバイスに対応する第１のＶＰＬＭＮに対してローミングする、受信するステップと、
−  第２のローミング課金デバイスから第２の課金データ・レコードを受信するステップであって、前記ユーザ機器は、前記第１のＶＰＬＭＮから前記第２のローミング課金デバイスに対応する第２のＶＰＬＭＮに対してローミングする、受信するステップと
を含む、請求項１に記載の方法。
【請求項３】
前記ステップａは、
−  第１のローミング課金デバイスから第１の課金データ・レコードを受信するステップ
を含んでおり、前記第１の課金データ・レコードは、第２のローミング課金デバイスからの第２の課金データ・レコードに少なくとも基づいて生成され、前記ユーザ機器は、前記第１のローミング課金デバイスに対応する第１のＶＰＬＭＮから前記第２のローミング課金デバイスに対応する第２のＶＰＬＭＮへとローミングする、請求項１に記載の方法。
【請求項４】
公衆陸上モバイル・ネットワーク（ＰＬＭＮ）の加入者への課金を容易にするための方法であって、前記方法は、
−  第１の訪問先ＰＬＭＮ（ＶＰＬＭＮ）内のユーザ機器に関連する回路交換フォールバック（ＣＳＦＢ）モバイル終端ローミング転送（ＭＴＲＦ）コールについての第１のローミング関連の情報に基づいて、前記第１のＶＰＬＭＮの第１のローミング課金デバイスにおいて、第１の課金データ・レコードを生成するステップであって、前記ユーザ機器は、ホームＰＬＭＮ（ＨＰＬＭＮ）の加入者に対応する、生成するステップと、
−  前記ＨＰＬＭＮのホーム課金デバイスに対して前記第１の課金データ・レコードを送信するステップと
を含んでおり、
前記第１のローミング関連の情報は、以下の項目、すなわち、
−  前記第１のＶＰＬＭＮに対応する第１のモバイル交換センタの番号と、
−  ＣＳＦＢタイムスタンプと、
−  前記第１のＶＰＬＭＮにおける前記ユーザ機器に対応する第１の移動局ローミング番号（ＭＳＲＮ）と、
−  前記ユーザ機器の国際モバイル加入者識別情報（ＩＭＳＩ）と、
−  前記ユーザ機器の移動局国際ＩＳＤＮ番号（ＭＳＩＳＤＮ）と、
−  コーリング・パーティ番号と、
−  コール持続時間と、
−  ゲートウェイ・モバイル交換センタと、前記第１のモバイル交換センタとの間のトランキング情報と、
のうちの少なくとも１つを含んでいる、方法。
【請求項５】
公衆陸上モバイル・ネットワーク（ＰＬＭＮ）の加入者への課金を容易にするための方法であって、前記方法は、
Ｉ．第２の訪問先ＰＬＭＮ（ＶＰＬＭＮ）内のユーザ機器に関連する回路交換フォールバック（ＣＳＦＢ）モバイル終端ローミング転送（ＭＴＲＦ）コールについての第２のローミング関連の情報に基づいて、前記第２のＶＰＬＭＮの第２のローミング課金デバイスにおいて、第２の課金データ・レコードを生成するステップであって、前記ユーザ機器は、ホームＰＬＭＮ（ＨＰＬＭＮ）の加入者に対応し、且つ、前記ＣＳＦＢ  ＭＴＲＦコールの間に、第１のＶＰＬＭＮから前記第２のＶＰＬＭＮへローミングする、生成するステップと、
ＩＩ．前記ＨＰＬＭＮのホーム課金デバイスに前記第２の課金データ・レコードを送信するステップと、
を含んでおり、
前記第２のローミング関連の情報は、以下の項目、すなわち、
−  前記第２のＶＰＬＭＮに対応する第２のモバイル交換センタの番号と、
−  ＣＳＦＢタイムスタンプと、
−  ＣＳＦＢ相関識別情報と、
−  前記第１のＶＰＬＭＮにおける前記ユーザ機器に対応する第１の移動局ローミング番号（ＭＳＲＮ）と、
−  前記第２のＶＰＬＭＮにおける前記ユーザ機器に対応する第２のＭＳＲＮと、
−  前記ユーザ機器の国際モバイル加入者識別情報（ＩＭＳＩ）と、
−  前記ユーザ機器の移動局国際ＩＳＤＮ番号（ＭＳＩＳＤＮ）と、
−  コーリング・パーティ番号と、
−  コール持続時間と、
−  前記第１のＶＰＬＭＮに対応する第１のモバイル交換センタと、前記第２のモバイル交換センタとの間のトランキング情報と
のうちの少なくとも１つを含んでいる方法。
【請求項６】
前記ステップＩＩは、
−  前記第１のＶＰＬＭＮに対応する第１のローミング課金デバイスに対して前記第２の課金データ・レコードを送信するステップ
を含んでいる、請求項５に記載の方法。
【請求項７】
ホーム公衆陸上モバイル・ネットワーク（ＨＰＬＭＮ）のホーム課金デバイスであって、
前記ＨＰＬＭＮの加入者に対応するユーザ機器に関連する回路交換フォールバック（ＣＳＦＢ）モバイル終端ローミング転送（ＭＴＲＦ）コールについての少なくとも１つの課金データ・レコードを取得するために少なくとも１つのローミング課金デバイスから課金データ・レコードを受信するように構成された第１の課金取得モジュールであって、前記ユーザ機器は、前記ＣＳＦＢ  ＭＴＲＦコールの間に、前記少なくとも１つのローミング課金デバイスに対応する訪問先公衆陸上モバイル・ネットワーク（ＶＰＬＭＮ）に対してローミングする、第１の課金取得モジュールと、
前記ＣＳＦＢ  ＭＴＲＦコールについての統合されたターゲット課金データ・レコードを取得するために、前記ホーム課金デバイスにおいて、該ホーム課金デバイスで生成されたローカル課金データ・レコードと組み合わせて、前記少なくとも１つの課金データ・レコードに基づいて、統合処理を実行するように構成された統合処理モジュールと、
を備えている、ホーム課金デバイス。
【請求項８】
前記第１の課金取得モジュールは、
−  第１のローミング課金デバイスから第１の課金データ・レコードを受信することであって、前記ユーザ機器が、前記第１のローミング課金デバイスに対応する第１のＶＰＬＭＮに対してローミングすることと、
−  第２のローミング課金デバイスから第２の課金データ・レコードを受信することであって、前記ユーザ機器が、前記第１のＶＰＬＭＮから前記第２のローミング課金デバイスに対応する第２のＶＰＬＭＮに対してローミングすることと
を行うように構成されている、請求項７に記載のデバイス。
【請求項９】
前記第１の課金取得モジュールは、
−  第１のローミング課金デバイスから第１の課金データ・レコードを受信する
ように構成されており、前記第１の課金データ・レコードは、第２のローミング課金デバイスからの第２の課金データ・レコードに少なくとも基づいて、生成され、前記ユーザ機器は、前記第１のローミング課金デバイスに対応する第１のＶＰＬＭＮから前記第２のローミング課金デバイスに対応する第２のＶＰＬＭＮへとローミングする、請求項７に記載のデバイス。
【請求項１０】
第１の訪問先公衆陸上モバイル・ネットワーク（ＶＰＬＭＮ）における第１のローミング課金デバイスであって、
前記第１の訪問先ＰＬＭＮ（ＶＰＬＭＮ）内のユーザ機器に関連する回路交換フォールバック（ＣＳＦＢ）モバイル終端ローミング転送（ＭＴＲＦ）コールについての第１のローミング関連の情報に基づいて、第１の課金データ・レコードを生成するように構成された課金生成モジュールであって、前記ユーザ機器は、ホーム公衆陸上モバイル・ネットワーク（ＨＰＬＭＮ）の加入者に対応する、課金生成モジュールと、
前記ＨＰＬＭＮのホーム課金デバイスに対して前記第１の課金データ・レコードを送信するように構成された課金送信モジュールと、
を備えており、
前記第１のローミング関連の情報は、以下の項目、すなわち、
−  前記第１のＶＰＬＭＮに対応する第１のモバイル交換センタの番号と、
−  ＣＳＦＢタイムスタンプと、
−  前記第１のＶＰＬＭＮにおける前記ユーザ機器に対応する第１の移動局ローミング番号（ＭＳＲＮ）と、
−  前記ユーザ機器の国際モバイル加入者識別情報（ＩＭＳＩ）と、
−  前記ユーザ機器の移動局国際ＩＳＤＮ番号（ＭＳＩＳＤＮ）と、
−  コーリング・パーティ番号と、
−  コール持続時間と、
−  ゲートウェイ・モバイル交換センタと、前記第１のモバイル交換センタとの間のトランキング情報と、
のうちの少なくとも１つを含んでいる、第１のローミング課金デバイス。
【請求項１１】
第２の訪問先公衆陸上モバイル・ネットワーク（ＶＰＬＭＮ）における第２のローミング課金デバイスであって、
前記第２のＶＰＬＭＮ内のユーザ機器に関連する回路交換フォールバック（ＣＳＦＢ）モバイル終端ローミング転送（ＭＴＲＦ）コールについての第２のローミング関連の情報に基づいて、第２の課金データ・レコードを生成するように構成された第２の課金生成モジュールであって、前記ユーザ機器は、ホーム公衆陸上モバイル・ネットワーク（ＨＰＬＭＮ）の加入者に対応し、且つ、前記ＣＳＦＢ  ＭＴＲＦコールの間に、第１のＶＰＬＭＮから前記第２のＶＰＬＭＮへローミングする、第２の課金生成モジュールと、
前記ＨＰＬＭＮのホーム課金デバイスに前記第２の課金データ・レコードを送信するように構成された第２の課金送信モジュールと、
を備えており、
前記第２のローミング関連の情報は、以下の項目、すなわち、
−  前記第２のＶＰＬＭＮに対応する第２のモバイル交換センタの番号と、
−  ＣＳＦＢタイムスタンプと、
−  ＣＳＦＢ相関識別情報と、
−  前記第１のＶＰＬＭＮにおける前記ユーザ機器に対応する第１の移動局ローミング番号（ＭＳＲＮ）と、
−  前記第２のＶＰＬＭＮにおける前記ユーザ機器に対応する第２のＭＳＲＮと、
−  前記ユーザ機器の国際モバイル加入者識別情報（ＩＭＳＩ）と、
−  前記ユーザ機器の移動局国際ＩＳＤＮ番号（ＭＳＩＳＤＮ）と、
−  コーリング・パーティ番号と、
−  コール持続時間と、
−  前記第１のＶＰＬＭＮに対応する第１のモバイル交換センタと、前記第２のモバイル交換センタとの間のトランキング情報と、
のうちの少なくとも１つを含んでいる、第２のローミング課金デバイス。
【請求項１２】
前記第２の課金送信モジュールは、
−  前記第１のＶＰＬＭＮに対応する第１のローミング課金デバイスに対して前記第２の課金データ・レコードを送信する
ように構成されている、請求項１１に記載のデバイス。
【請求項１３】
請求項７乃至９のいずれか１項に記載のホーム課金デバイスと、請求項１０に記載の第１のローミング課金デバイスと、請求項１１または１２に記載の第２のローミング課金デバイスとを備えている、ＣＳフォールバックＭＴＲＦコールについてのローミング課金を実行するためのシステム。
【請求項１４】
−  第２のローミング課金デバイスから第２の課金データ・レコードを受信するステップ
をさらに含んでおり、前記ユーザ機器は、前記第１のＶＰＬＭＮから前記第２のローミング課金デバイスに対応する第２のＶＰＬＭＮへとローミングし、前記第２の課金データ・レコードは、前記第２のＶＰＬＭＮにおける前記ユーザ機器に対応する第２のＭＳＲＮを含んでおり、
前記生成するステップは、
−  前記第１の課金データ・レコードを取得するために、前記第１のローミング関連の情報と組み合わせた前記第２の課金データ・レコードに基づいて、統合処理を実行するステップ、
を備える、請求項４に記載の方法。
【請求項１５】
前記デバイスは、
第２のローミング課金デバイスから第２の課金データ・レコードを受信するように構成された第２の課金取得モジュール
をさらに備えており、前記ユーザ機器は、前記第２のローミング課金デバイスに対応する第２のＶＰＬＭＮへとローミングし、前記第２の課金データ・レコードは、前記第２のＶＰＬＭＮにおける前記ユーザ機器に対応する第２のＭＳＲＮを含んでおり、
前記課金生成モジュールは、
−  前記第１の課金データ・レコードを取得するために、前記第１のローミング関連の情報と組み合わせた前記第２の課金データ・レコードに基づいて統合処理を実行する、
ように構成されている、請求項１０に記載のデバイス。
【発明の詳細な説明】
【技術分野】
【０００１】
本発明は、通信技術の分野に関し、より詳細には、ＣＳフォールバックＭＴＲＦコールについてのローミング課金のための技術に関する。
【背景技術】
【０００２】
既存の２Ｇおよび３Ｇに基づいて、３ＧＰＰは、進化型パケット・システム（ｅｖｏｌｖｅｄ  ｐａｃｋｅｔ  ｓｙｓｔｅｍ）ＥＰＳを起動する。ＥＰＳネットワークを構築する準備期間中に、オペレータが、既に成熟したＧＥＲＡＮ／ＵＴＲＡＮネットワークを有する場合、オペレータは、既存のＣＳ音声ソリューションを採用して、ＣＳ（回路交換（ｃｉｒｃｕｉｔ  ｓｗｉｔｃｈｅｄ））投資保護と、ＬＥＴ／ＥＰＣ展開ポリシーとのための音声サービスを提供することができる。
【０００３】
ＣＳＦＢ（ＣＳフォールバック）は、３ＧＰＰ  Ｒ８の中のＰＳタスクの上のＣＳの結果のうちの１つである。タスクの背景は、ＬＴＥおよびＣＳのデュアル・モード端末の無線モジュールが、単一の無線モードであり、すなわち、ＬＴＥアクセス能力と、ＵＴＲＡＮ／ＧＥＲＡＮアクセス能力とを有する、デュアル・モードまたはマルチ・モードの端末が、ＬＴＥアクセスを使用するときに、回路ドメイン・サービス信号を受信する／送信することができないことである。ＣＳＦＢ技術は、端末が、ＬＴＥアクセスの下の音声サービスなどのＣＳサービスを開始し、音声などのＣＳサービスのページングを受信し、またＬＴＥネットワークにおいて端末の進行中のＰＳサービスを正しく処理することを可能にするように進化させられている。
【０００４】
ＴＤ−ＬＴＥネットワークを構築する準備期間中に、オペレータが、既に成熟したＵＴＲＡＮ／ＧＥＲＡＮネットワークを有する場合に、オペレータは、ＴＤ−ＬＴＥネットワーク展開ポリシーと組み合わせて、音声サービスを提供する既存のＣＳ音声ソリューションを採用して、ＣＳ投資を保護することができるが、ＴＤ−ＬＴＥネットワークは、単にデータ・サービス（ＩＭＳデータ・サービスを含む）を処理するにすぎない。この場合には、ＣＳＦＢ技術を採用するときに、すなわち、ＬＴＥのカバレッジの下のＵＥが、音声サービスを処理しているときに、端末は、最初に、ＣＳネットワークに対してフォールバックして、ＣＳネットワークにおいて音声サービスを処理し、このＣＳネットワークは、それによって既存のＣＳデバイスを再使用する目的を達成して、ＴＤ−ＬＴＥネットワークにおいて加入者のための伝統的な音声サービスを提供する。
【０００５】
ＥＰＳ／ＬＴＥ規格ＴＳ２３．０１８は、ＳＧの上のＣＳフォールバック・プロシージャと、モバイル終端ローミング転送コール（ＭＴＲＦ：Ｍｏｂｉｌｅ  Ｔｅｒｍｉｎａｔｉｎｇ  Ｒｏａｍｉｎｇ  Ｆｏｒｗａｒｄ  ｃａｌｌ）についてのプロシージャとを指定している。しかしながら、ＥＰＳ／ＬＴＥネットワークにおいては、ＣＳフォールバックＭＴＲＦコール（ＩＭＳメッセージを含む）に課金するための方法は、依然として懸案事項のままである。
【先行技術文献】
【非特許文献】
【０００６】
【非特許文献１】３ＧＰＰ  Ｒ８
【非特許文献２】ＥＰＳ／ＬＴＥ規格ＴＳ２３．０１８
【発明の概要】
【発明が解決しようとする課題】
【０００７】
本発明は、一方法を提供しており、この方法によれば、ＥＰＳ／ＬＴＥネットワークのＣＳフォールバックＭＴＲＦコールにおいて、訪問先公衆陸上モバイル・ネットワーク（ＶＰＬＭＮ：ｖｉｓｉｔｅｄ  ｐｕｂｌｉｃ  ｌａｎｄ  ｍｏｂｉｌｅ  ｎｅｔｗｏｒｋ）の中のモバイル交換センタ（ＭＳＣ：ｍｏｂｉｌｅ  ｓｗｉｔｃｈｉｎｇ  ｃｅｎｔｅｒ）は、ＣＳフォールバック・データを、例えば、課金データ・レコード（ＣＤＲ：ｃｈａｒｇｉｎｇ  ｄａｔａ  ｒｅｃｏｒｄｓ）を含むであろう。本方法は、これらの課金データ・レコードを単一のモバイル終端コール・レコードへと統合し、または集約している。
【０００８】
本発明の一目的は、ＣＳフォールバックＭＴＲＦコールについてのローミング課金のための方法およびデバイスを提供することである。
【課題を解決するための手段】
【０００９】
本発明の一態様によれば、ホーム課金デバイスにおけるＣＳフォールバックＭＴＲＦコールについてのローミング課金の一方法が、提供されており、そこでは、本方法は、以下のステップを、すなわち、
ａ．少なくとも１つの課金データ・レコードを取得するために少なくとも１つのローミング課金デバイスから課金データ・レコードを受信するステップであって、ユーザ機器は、少なくとも１つのローミング課金デバイスに対応するＶＰＬＭＮに対してローミングする、受信するステップと、
ｂ．統合されたターゲット課金データ・レコードを取得するために、ホーム課金デバイスの中のローカル課金データ・レコードと組み合わせて、少なくとも１つの課金データ・レコードに基づいて、統合処理を実行するステップと
を含んでいる。
【００１０】
本発明の別の態様によれば、第１のＶＰＬＭＮの第１のローミング課金デバイスにおけるＭＴＲＦコールについてのローミング課金を容易にするための一方法が、さらに提供されており、そこでは、本方法は、
Ａ．第１のＶＰＬＭＮにおけるユーザ機器の第１のローミング関連の情報に基づいて、第１の課金データ・レコードを生成するステップと、
Ｂ．ユーザ機器に対応するホーム課金デバイスに対して第１の課金データ・レコードを送信するステップと
を含んでおり、そこでは、第１のローミング関連の情報は、以下の項目、すなわち、
−  第１のＶＰＬＭＮに対応する第１のモバイル交換センタの番号と、
−  ＣＳフォールバック・タイムスタンプと、
−  第１のＶＰＬＭＮにおけるユーザ機器に対応する第１のＭＳＲＮと、
−  ユーザ機器のＩＭＳＩと、
−  ユーザ機器のＭＳＩＳＤＮと、
−  コーリング・パーティ番号と、
−  コール持続時間と、
−  ゲートウェイ・モバイル交換センタと、第１のモバイル交換センタとの間のトランキング情報と
のうちの少なくとも１つを含んでいる。
【００１１】
本発明のさらなる一態様によれば、第２のＶＰＬＭＮの第２のローミング課金デバイスにおけるＭＴＲＦコールについてのローミング課金を容易にするための一方法が、さらに提供されており、そこでは、ユーザ機器は、第１のＶＰＬＭＮから第２のＶＰＬＭＮへとローミングし、そこでは、本方法は、
Ｉ．第２のＶＰＬＭＮにおけるユーザ機器の第２のローミング関連の情報に基づいて、第２の課金データ・レコードを生成するステップと、
ＩＩ．ユーザ機器に対応するホーム課金デバイスに対して第２の課金データ・レコードを送信するステップと
を含んでおり、そこでは、第２のローミング関連の情報は、以下の項目、すなわち、
−  第２のＶＰＬＭＮに対応する第２のモバイル交換センタの番号と、
−  ＣＳフォールバック・タイムスタンプと、
−  ＣＳフォールバック相関識別情報と、
−  第１のＶＰＬＭＮにおけるユーザ機器に対応する第１のＭＳＲＮと、
−  第２のＶＰＬＭＮにおけるユーザ機器に対応する第２のＭＳＲＮと、
−  ユーザ機器のＩＭＳＩと、
−  ユーザ機器のＭＳＩＳＤＮと、
−  コーリング・パーティ番号と、
−  コール持続時間と、
−  第１のＶＰＬＭＮに対応する第１のモバイル交換センタと、第２のモバイル交換センタとの間のトランキング情報と
のうちの少なくとも１つを含んでいる。
【００１２】
本発明のさらにさらなる一態様によれば、ＣＳフォールバックＭＴＲＦコールについてのローミング課金を実行するためのホーム課金デバイスが、さらに提供されており、そこでは、本デバイスは、
少なくとも１つの課金データ・レコードを取得するために少なくとも１つのローミング課金デバイスから課金データ・レコードを受信するように構成された第１の課金取得モジュールであって、ユーザ機器は、少なくとも１つのローミング課金デバイスに対応するＶＰＬＭＮに対してローミングする、第１の課金取得モジュールと、
統合されたターゲット課金データ・レコードを取得するために、ホーム課金デバイスの中のローカル課金データ・レコードと組み合わせて、少なくとも１つの課金データ・レコードに基づいて、統合処理を実行するように構成された統合処理モジュールと
を備えている。
【００１３】
本発明のさらにさらなる一態様によれば、第１のＶＰＬＭＮにおけるＭＴＲＦコールについてのローミング課金を実行することを容易にするための第１のローミング課金デバイスが、提供されており、そこでは、本デバイスは、
第１のＶＰＬＭＮにおけるユーザ機器の第１のローミング関連の情報に基づいて、第１の課金データ・レコードを生成するように構成された第１の課金生成モジュールと、
ユーザ機器に対応するホーム課金デバイスに対して第１の課金データ・レコードを送信するように構成された第１の課金送信モジュールと
を備えており、そこでは、第１のローミング関連の情報は、以下の項目、すなわち、
−  第１のＶＰＬＭＮに対応する第１のモバイル交換センタの番号と、
−  ＣＳフォールバック・タイムスタンプと、
−  第１のＶＰＬＭＮにおけるユーザ機器に対応する第１のＭＳＲＮと、
−  ユーザ機器のＩＭＳＩと、
−  ユーザ機器のＭＳＩＳＤＮと、
−  コーリング・パーティ番号と、
−  コール持続時間と、
−  ゲートウェイ・モバイル交換センタと、第１のモバイル交換センタとの間のトランキング情報と
のうちの少なくとも１つを含んでいる。
【００１４】
本発明のさらなる一実施形態によれば、第２のＶＰＬＭＮにおけるＭＴＲＦコールについてのローミング課金を容易にするための第２のローミング課金デバイスが、提供されており、そこでは、ユーザ機器は、第１のＶＰＬＭＮから第２のＶＰＬＭＮへとローミングし、そこでは、本デバイスは、
第２のＶＰＬＭＮにおけるユーザ機器の第２のローミング関連の情報に基づいて、第２の課金データ・レコードを生成するように構成された第２の課金生成モジュールと、
ユーザ機器に対応するホーム課金デバイスに対して第２の課金データ・レコードを送信するように構成された第２の課金送信モジュールと
を備えており、そこでは、第２のローミング関連の情報は、以下の項目、すなわち、
−  第２のＶＰＬＭＮに対応する第２のモバイル交換センタの番号と、
−  ＣＳフォールバック・タイムスタンプと、
−  ＣＳフォールバック相関識別情報と、
−  第１のＶＰＬＭＮにおけるユーザ機器に対応する第１のＭＳＲＮと、
−  第２のＶＰＬＭＮにおけるユーザ機器に対応する第２のＭＳＲＮと、
−  ユーザ機器のＩＭＳＩと、
−  ユーザ機器のＭＳＩＳＤＮと、
−  コーリング・パーティ番号と、
−  コール持続時間と、
−  第１のＶＰＬＭＮに対応する第１のモバイル交換センタと、第２のモバイル交換センタとの間のトランキング情報と
のうちの少なくとも１つを含んでいる。
【００１５】
本発明のさらにさらなる態様によれば、上記のホーム課金デバイスと、上記の第１のローミング課金デバイスと、上記の第２のローミング課金デバイスとを備える、ＣＳフォールバックＭＴＲＦコールについてのローミング課金を実行するためのシステムが、提供されている。
【００１６】
先行技術と比べて、本発明は、課金データ・レコードを計算する新規の方法を導入して、訪問先ネットワークにおけるローミング課金デバイスにおいて最終的な課金を実行する代わりに、ホーム・ネットワークにおけるホーム課金デバイスにおいて最終的な課金を実行しており、これは、端末加入者が、正しく課金されることを保証し、また訪問先ネットワークのモバイル交換センタにおいて課金データ・レコードに対する繰り返しの課金を回避する。
【００１７】
本発明の他の特徴と、目的と、利点とは、以下のような添付の図面を参照して非限定的な実施形態についての詳細な説明を読むことを通して、より明らかになるであろう。
【図面の簡単な説明】
【００１８】
【図１】本発明の一態様による、ＣＳフォールバックＭＴＲＦコールについてのローミング課金のネットワーク・システム・トポロジを示す図である。
【図２】本発明の別の態様による、ＣＳフォールバックＭＴＲＦコールについてのローミング課金のための方法のフローチャートである。
【図３】本発明の好ましい一実施形態による、ＣＳフォールバックＭＴＲＦコールについてのローミング課金のための方法のフローチャートである。
【図４】本発明の別の好ましい実施形態による、ＣＳフォールバックＭＴＲＦコールについてのローミング課金のための方法のフローチャートである。
【図５】本発明のさらに好ましい一実施形態による、ＣＳフォールバックＭＴＲＦコールについてのローミング課金のための方法のフローチャートである。
【図６】本発明の別の態様による、ＣＳフォールバックＭＴＲＦコールについてのローミング課金のためのデバイスの図である。
【図７】本発明の好ましい一実施形態による、ＣＳフォールバックＭＴＲＦコールについてのローミング課金のためのデバイスの図である。
【図８】本発明のさらなる一実施形態による、ＣＳフォールバックＭＴＲＦコールについてのローミング課金のためのデバイスの図である。
【発明を実施するための形態】
【００１９】
添付図面の中の同じ参照符号または類似した参照符号は、同じコンポーネントまたは類似したコンポーネントを表している。
【００２０】
以下では、本発明は、添付図面を参照して、さらに詳細に説明されるであろう。
【００２１】
図１は、本発明の別の態様による、ＣＳフォールバックＭＴＲＦコールについてのローミング課金のネットワーク・システム・トポロジを示すものである。
【００２２】
ＣＳＦＢ（回路交換フォールバック）は、Ｅ−ＵＴＲＡＮ／ＧＥＲＡＮの間のオーバーラップしたカバレッジ領域において、またユーザ機器がＣＳＦＢ機能を有する場合においてのみ、使用され得る。
【００２３】
ＣＳＦＢ技術は、ＳＧｓインターフェースを経由して実施される。ＭＭＥ（モビリティ管理エンティティ）と、ＭＳＣとの間には、既存のＳＧＳＮ（サービスＧＰＲＳサポーティング・ノード（ｓｅｒｖｉｃｅ  ＧＰＲＳ  ｓｕｐｐｏｒｔｉｎｇ  ｎｏｄｅ））と、ＭＳＣとの間のＧｓインターフェースに類似したＳＧｓインターフェースがある。ＳＧｓインターフェースは、ＥＰＳと、ＣＳとの間のモビリティ管理プロシージャと、ページング・プロシージャとを処理するためのものである。そのようなプロシージャは、既存のＧｓインターフェース・プロシージャを拡張することにより実施される。
【００２４】
ＣＳＦＢ能力を有するＵＥは、Ｅ−ＵＴＲＡＮを通してＥＰＣにアクセスすることができるだけでなく、ＧＥＲＡＮ／ＵＴＲＡＮを通してＣＳにアクセスすることもでき、それゆえに、ＵＥは、共同のＥＰＳ／ＩＭＳ接続プロシージャ、アップデート・プロシージャ、および分離プロシージャ、ならびにＣＳサービスが使用されるときのＣＳＦＢプロシージャおよびＳＭＳプロシージャをサポートするために必要とされる。
【００２５】
ＭＭＥは、デフォルトのＬＡＩから、またはＵＥから受信されるＧＵＴＩからＶＬＲ数（ＶＬＩ  ｎｕｍｂｅｒ）を解析してはっきりさせることができ、共同のＥＰＳ／ＩＭＳ接続を有するＵＥについてのＳＧｓ相関を維持することができ、ＥＰＳ分離をするとすぐにＩＭＳ分離を開始することができ、ＭＳＣがＣＳサービスのためにＵＥにページングするときに、ｅノードＢ（ｅＮｏｄｅ  Ｂ）に対するページング・プロシージャを開始することができ、ＣＳＦＢの場合にＳＭＳプロシージャをサポートすることができ、ＣＳＦＢコール要求（Ｏ＆Ｍの理由に起因した）を拒絶することができることが、必要とされ、複数のＭＳＣ／ＶＬＲが、同じＬＡＩにサービスする場合には、ＣＳＦＢをサポートするＭＭＳは、ＬＡＩと、ＩＭＳＩとから取得されるハッシュ値を使用して、ＶＬＲ数を決定することができる。
【００２６】
ＭＳＣは、ＥＰＳ／ＩＭＳＩ共同接続を有するＵＥについてのＳＧｓ相関を維持し、ＳＧｓインターフェースと、Ｉｕ／Ａインターフェースとにおいて並行して加入者にページングし、またＣＳＦＢの場合にＳＭＳプログラムをサポートすることができる。
【００２７】
Ｅ−ＵＴＲＡＮは、ＵＥに対してページング要求と、ＳＭＳとを転送し、またターゲットＣＳドメインにおいてセルに対してＵＥを転送することができることが必要とされる。
【００２８】
複数のＭＳＣ／ＶＬＲが、同じＬＡＩにサービスする場合に、ＧｓをサポートするＳＧＳＮは、ＩＭＳＩと、ＬＡＩとから取得されるハッシュ値を使用して、ＶＬＲ数を決定するであろう。
【００２９】
図２は、本発明の一態様による、ＣＳフォールバックＭＴＲＦコールについてのローミング課金のための方法のフローチャートを示すものである。
【００３０】
ステップＳ２０１において、ホーム課金デバイス１は、少なくとも１つのローミング課金デバイスから課金データ・レコードを受信して、少なくとも１つの課金データ・レコードを取得し、そこでは、ユーザ機器は、少なくとも１つのローミング課金デバイスに対応するＶＰＬＭＮに対してローミングする。具体的には、ユーザ機器は、複数のＶＰＬＭＮに対してローミングし、ユーザが、ＶＰＬＭＮに対してローミングするたびごとに、ＶＰＬＭＮにおけるローミング課金デバイスは、ユーザ機器のローミング情報に基づいて、課金データ・レコードを生成し、例えば、ＶＰＬＭＮに対応するモバイル交換センタ（ＭＳＣ）の番号、ＣＳフォールバック・タイムスタンプ、ＶＰＬＭＮにおけるユーザ機器の移動局ローミング番号（ＭＳＲＮ：ｍｏｂｉｌｅ  ｓｔａｔｉｏｎ  ｒｏａｍｉｎｇ  ｎｕｍｂｅｒ）、国際モバイル加入者識別情報（ＩＭＳＩ：ｉｎｔｅｒｎａｔｉｏｎａｌ  ｍｏｂｉｌｅ  ｓｕｂｓｃｒｉｂｅｒ  ｉｄｅｎｔｉｔｙ）、移動局国際ＩＳＤＮ番号（ＭＳＩＳＤＮ：ｍｏｂｉｌｅ  ｓｔａｔｉｏｎ  ｉｎｔｅｒｎａｔｉｏｎａｌ  ＩＳＤＮ  ｎｕｍｂｅｒ）、コーリング・パーティ番号、コール持続時間、ゲートウェイ・モバイル交換センタＧＭＳＣと、訪問先モバイル交換センタＶＭＳＣとの間のトランキング情報（例えば、着信トランク番号、すなわち、コールが開始されたＶＭＳＣトランク番号、および発信トランク番号、すなわち、コールがＶＭＳＣを離れたトランク番号）などに基づいて、ＶＰＬＭＮにおけるユーザ機器の課金データ・レコードを生成しており、その後に、ＶＰＬＭＮにおけるローミング課金デバイスは、ユーザ機器に対応するホーム課金デバイス１に対して、その中の課金データ・レコードを送信し、または後のローミング課金デバイスは、後の課金デバイスの課金データ・レコードと、それ自身の課金データ・レコードを統合する、前の課金デバイスに対して、その中の課金データ・レコードを送信し、また次いで、さらに、ホーム課金デバイス１に対して統合された課金データ・レコードを送信する最も早期のローミング課金デバイスまで、前の課金デバイスに先行するローミング課金デバイスに対して統合された課金データ・レコードを送信するなどである。ここで、ユーザ機器は、最も早期のローミング課金デバイスに対応するＶＰＬＭＮから、後のローミング課金デバイスに対応するＶＰＬＭＮへと一つずつローミングする。
【００３１】
ステップＳ２０２において、ホーム課金デバイス１は、ホーム課金デバイスの中のローカル課金データ・レコードと組み合わせて、少なくとも１つの課金データ・レコードに基づいて、統合処理を実行して、統合されたターゲット課金データ・レコードを取得する。
【００３２】
ここで、ローカル課金データ・レコードは、ホーム課金デバイス１によって生成され、または取得される、ユーザ機器の課金データ・レコードであり、例えば、第１のＭＳＲＮ番号（第１のＶＰＬＭＮにおけるユーザ機器の移動局ローミング番号）と第１のＶＭＳＣ番号（第１のＶＰＬＭＮに対応するモバイル交換センタの番号）とに基づいて、生成される課金データ・レコードであり、あるいはローカル課金データ・レコードは、他のローミング課金デバイスから送信され、またホーム課金デバイス１によって既に取得されているような、ユーザ機器の課金データ・レコードを含むこともできる。
【００３３】
例えば、ユーザ機器が、最初に第１のＶＰＬＭＮから第２のＶＰＬＭＮへとローミングし、また次いで、第２のＶＰＬＭＮから第３のＶＰＬＭＮへとローミングするものと仮定する。３つのＶＰＬＭＮの中のローミング課金デバイスは、ユーザ機器のためにそれぞれそれらの３つのＶＰＬＭＮにおいてその課金データ・レコードを生成し、またユーザ機器に対応するＨＰＬＭＮ（ホーム公衆陸上モバイル・ネットワーク（ｈｏｍｅ  ｐｕｂｌｉｃ  ｌａｎｄ  ｍｏｂｉｌｅ  ｎｅｔｗｏｒｋ））におけるホーム課金デバイス１に対して３つの課金データ・レコードを送信し、ホーム陸上課金デバイス１は、ホーム課金デバイス１の中のローカル課金データ・レコードと組み合わせて、３つの課金データ・レコードに対する統合処理を実行して、統合されたターゲット課金データ・レコードを取得する。
【００３４】
別の例では、３つのＶＰＬＭＮにおけるローミング課金デバイスは、ユーザ機器のためにそれぞれそれらの３つのＶＰＬＭＮにおいてその課金データ・レコードを生成する。第３のＶＰＬＭＮにおける第３のローミング課金デバイスは、第２のＶＰＬＭＮにおける第２のローミング課金デバイスに対して、その中の第３の課金データ・レコードを送信し、第２のローミング課金デバイスは、第２のローミング課金デバイスの中の第３の課金データ・レコードと、第２の課金データ・レコードとに対する統合処理を実行して、統合された第１の候補課金データ・レコードを取得し、またそれを第１のＶＰＬＭＮにおける第１のローミング課金デバイスに対して送信し、第１のローミング課金デバイスは、さらに、第１のローミング課金デバイスの中の第１の候補課金データ・レコードと、第１の課金データ・レコードとに対する統合処理を実行して、統合された第２の課金データ・レコードを取得し、またそれをＨＰＬＭＮにおけるホーム課金デバイス１に対して送信し、ホーム課金デバイス１は、さらに、ホーム課金デバイス１の中の第２の候補課金データ・レコードと、ローカル課金データ・レコードとに対する統合処理を実行して、統合されたターゲット課金データ・レコードを取得する。
【００３５】
図３は、本発明の好ましい一実施形態による、ＣＳフォールバックＭＴＲＦコールについてのローミング課金のための方法のフローチャートを示すものである。ここで、ユーザ機器は、ＨＰＬＭＮから第１のＶＰＬＭＮへとローミングし、またさらに、第１のＶＰＬＭＮから第２のＶＰＬＭＮへとローミングする。
【００３６】
ステップＳ３０３において、第１のＶＰＬＭＮにおける第１のローミング課金デバイス２は、第１のＶＰＬＭＮにおけるユーザ機器の第１のローミング関連の情報に基づいて、例えば、第１のＶＰＬＭＮに対応する、第１のモバイル交換センタ（ＭＳＣ）の番号、ＣＳフォールバック・タイムスタンプ、ＶＰＬＭＮにおけるユーザ機器に対応する第１の移動局ローミング番号（第１のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、ゲートウェイ・モバイル交換センタＧＭＳＣと、第１のモバイル交換センタＶＭＳＣとの間のトランク情報（例えば、着信トランク番号、すなわち、コールが開始されたＶＭＳＣトランク番号、および発信トランク番号、すなわち、コールがＶＭＳＣを離れたトランク番号）などに基づいて、第１の課金データ・レコードを生成する。
【００３７】
当業者なら、上記の第１のローミング関連の情報は、例示的なものにすぎず、他の既存の第１のローミング関連の情報、または将来において場合によっては進化させられることもあるそのような情報が、本発明に対して適用可能な場合には、本発明の保護範囲の内部に含まれるべきでもあり、また参照によりここで組み込まれていることを理解すべきである。
【００３８】
ステップＳ３０４においては、第１のローミング課金デバイス２は、ユーザ機器に対応するＨＰＬＭＮにおけるホーム課金デバイス１に対して第１の課金データ・レコードを送信する。
【００３９】
その後に、ユーザ機器は、第１のＶＰＬＭＮから第２のＶＰＬＭＮへとローミングする。ステップ３０５において、第２のローミング課金デバイス３は、ＶＰＬＭＮ２におけるユーザ機器の第２のローミング関連の情報に基づいて、例えば、第２のＶＰＬＭＮに対応する、第２のモバイル交換センタ（ＭＳＣ）の番号、ＣＳフォールバック・タイムスタンプ、ＣＳフォールバック相関ＩＤ、第１のＶＰＬＭＮにおけるユーザ機器に対応する第１の移動局ローミング番号（第１のＭＳＲＮ）、第２のＶＰＬＭＮにおけるユーザ機器に対応する第２の移動局ローミング番号（第２のＭＳＲＮ）、国際モバイル加入者識別情報（ＩＭＳＩ）、移動局国際ＩＳＤＮ番号（ＭＳＩＳＤＮ）、着信コール番号、コール持続時間、第１のＶＰＬＭＮに対応する第１のモバイル交換センタ（第１のＶＭＳＣ）と、第２のモバイル交換センタ（第２のＶＭＳＣ）との間のトランク回線情報などに基づいて、第２の課金データ・レコードを生成する。
【００４０】
当業者なら、上記の第２のローミング関連の情報は、例示的なものにすぎず、他の既存の第２のローミング関連の情報、または将来において場合によっては進化させられることもあるそのような情報が、本発明に対して適用可能な場合には、本発明の保護範囲の内部に含まれるべきでもあり、また参照によりここで組み込まれていることを理解すべきである。
【００４１】
ステップＳ３０６においては、第２のローミング課金デバイス３は、ユーザ機器に対応するＨＰＬＭＮにおけるホーム課金デバイス１に対して第２の課金データ・レコードを送信する。
【００４２】
ステップＳ３０１において、ホーム課金デバイス１は、第１のローミング課金デバイスから第１の課金データ・レコードを受信し、そこでは、ユーザ機器は、第１のローミング課金デバイスに対応するＨＰＬＭＮ１に対してローミングし、第２のローミング課金デバイスから第２の課金データ・レコードを受信し、そこでは、ユーザ機器は、第１のＶＰＬＭＮを経由して第２のローミング課金デバイスに対応するＨＰＬＭＮ２に対してローミングする。
【００４３】
ステップＳ３０２において、ホーム課金デバイス１は、ホーム課金デバイスの中のローカル課金データ・レコードと組み合わせて、第１の課金データ・レコードと、第２の課金レコードとに基づいて、統合処理を実行して、統合されたターゲット課金データ・レコードを取得する。
【００４４】
図４は、本発明の別の好ましい実施形態による、ＣＳフォールバックＭＴＲＦコールについてのローミング課金のための方法のフローチャートを示すものである。ここで、ユーザ機器は、ＨＰＬＭＮから第１のＶＰＬＭＮへとローミングし、またさらに、第１のＶＰＬＭＮから第２のＶＰＬＭＮへとローミングする。
【００４５】
ステップＳ４０５において、第２のローミング課金デバイス３は、第２のＶＰＬＭＮにおける第２のローミング関連の情報に基づいて、例えば、第２のＶＰＬＭＮに対応する、第２のモバイル交換センタＭＳＣの番号、ＣＳフォールバック・タイムスタンプ、ＣＳフォールバック相関ＩＤ、第１のＶＰＬＭＮにおけるユーザ機器に対応する第１の移動局ローミング番号（第１のＭＳＲＮ）、第２のＶＰＬＭＮにおけるユーザ機器に対応する第２の移動局ローミング番号（第２のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、第１のＶＰＬＭＮに対応する第１のモバイル交換センタ（第１のＶＭＳＣ）と、第２のモバイル交換センタ（第２のＶＭＳＣ）との間のトランク情報などに基づいて、第２の課金データ・レコードを生成する。
【００４６】
ステップＳ４０６においては、第２のローミング課金デバイス３は、第１のＶＰＬＭＮに対応する第１のローミング課金デバイスに対して第２の課金データ・レコードを送信する。
【００４７】
ステップＳ４０７において、第１のローミング課金デバイス２は、第２のローミング課金デバイス３から第２の課金データ・レコードを受信し、そこでは、ユーザ機器は、第１のＶＰＬＭＮから第２のローミング課金デバイスに対応する第２のＶＰＬＭＮに対してローミングし、そこでは、第２の課金データ・レコードは、第２のＶＰＬＭＮにおけるユーザ機器に対応する第２のＭＳＲＮを含んでいる。
【００４８】
その後に、ステップＳ４０３において、第１のローミング関連の情報に基づいて、例えば、第１のＶＰＬＭＮに対応する、第１のモバイル交換センタ（ＭＳＣ）の番号、ＣＳフォールバック・タイムスタンプ、第１のＶＰＬＭＮにおけるユーザ機器に対応する第１の移動局ローミング番号（第１のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、ゲートウェイ・モバイル交換センタＧＭＳＣと、第１のモバイル交換センタＶＭＳＣとの間のトランク情報などに基づいて、生成される課金データ・レコードと組み合わせて、第２の課金データ・レコードに基づいて、第１のローミング課金デバイス２は、第２の課金データ・レコードと、第１のローミング関連の情報とに対する統合処理を実行して、第１の課金データ・レコードを取得する。
【００４９】
次に、ステップＳ４０４において、第１のローミング課金デバイス２は、ユーザ機器に対応するＨＰＬＭＮにおけるホーム課金デバイス１に対して第１の課金データ・レコードを送信する。
【００５０】
ステップＳ４０１において、ホーム課金デバイス１は、第１のローミング課金デバイス１から第１の課金データ・レコードを受信し、そこでは、第１の課金データは、第２のローミング課金デバイスからの第２の課金データ・レコードに少なくとも基づいて、生成され、そこでは、ユーザ機器は、第１のローミング課金デバイスに対応する第１のＶＰＬＭＮから第２のローミング課金デバイスに対応する第２のＶＰＬＭＮへとローミングする。
【００５１】
ステップＳ４０２において、ホーム課金デバイス１は、第１の課金データ・レコードに基づいて、またホーム課金デバイスの中のローカル課金データ・レコードと組み合わせて、統合処理を実行する。
【００５２】
図５は、本発明のさらなる好ましい一実施形態による、ＣＳフォールバックＭＴＲＦコールについてのローミング課金のための方法のフローチャートを示すものである。
【００５３】
ステップａにおいて、ゲートウェイ・モバイル交換センタ（ＧＭＳＣ）は、コールされた移動局に対応するホーム・ロケーション・レジスタ（ＨＬＲ：ｈｏｍｅ  ｌｏｃａｔｉｏｎ  ｒｅｇｉｓｔｅｒ）からユーザ機器または移動局（ＭＳ）によって開始されるコールによって搬送されるＭＳＩＳＤＮ（コールされた番号）に基づいて、送信ルーティング情報（ＳＲＩ：Ｓｅｎｄｉｎｇ  Ｒｏｕｔｉｎｇ  Ｉｎｆｏｒｍａｔｉｏｎ）を要求する。
【００５４】
ステップｂにおいて、ＨＬＲは、第１のビジター・ロケーション・レジスタ（第１のＶＬＲ：Ｖｉｓｉｔｏｒ  Ｌｏｃａｔｉｏｎ  Ｒｅｇｉｓｔｅｒ）または第１のモバイル交換センタ（第１のＶＭＳＣ）に提供ローミング番号（ＰＲＮ：Ｐｒｏｖｉｄｅ  Ｒｏａｍｉｎｇ  Ｎｕｍｂｅｒ）を要求する。
【００５５】
ステップｃにおいて、第１のＶＬＲは、第１のＶＰＬＭＮにおけるコールされた加入者の第１の移動局ローミング番号（第１のＭＳＲＮ）をＰＲＮ  ＡＣＫの特定のフィールドへと書き込み、またそれをＨＬＲに対して送信する。
【００５６】
ステップｄにおいて、ＨＬＲは、さらに、ＳＲＩ  ＡＣＫを経由してＧＭＳＣに対して第１のＭＳＲＮを送信する。
【００５７】
ステップｅにおいて、ＧＭＳＣは、第１のＶＭＳＣ／第１のＶＬＲに対して、ＭＳＲＮを搬送する初期アドレス・メッセージ（ｉｎｉｔｉａｌ  ａｄｄｒｅｓｓ  ｍｅｓｓａｇｅ）ＩＡＭを送信する。
【００５８】
ステップｆにおいて、第１のＶＭＳＣ／第１のＶＬＲは、移動局に対するページングを実行し、またＣＳＦＢプロシージャが、開始される。
【００５９】
ステップｇ１において、ＧＭＳＣは、ステップｄにおいて取得される第１のＭＳＲＮと、第１のＶＭＳＣの番号とに基づいて、移動局についてのＣＤＲ課金を実行する。
【００６０】
ステップｇ２において、第１のＶＭＳＣ／第１のＶＬＲは、第１のＶＰＬＭＮにおける移動局の第１のＭＳＲＮに基づいて、移動局に対するＣＤＲ課金を実行する。
【００６１】
ステップｈにおいて、移動局は、第２のＶＰＬＭＮに対してローミングし、またそのアドレス情報をアップデートする。
【００６２】
ステップｉにおいて、ロケーション・アップデート要求（Ｌｏｃａｔｉｏｎ  Ｕｐｄａｔｅ  Ｒｅｑｕｅｓｔ）ＬＵＲが、「ＣＳＭＴ」フラグと、有効な一時的モバイル加入者識別情報（ＴＭＳＩ：ｔｅｍｐｏｒａｒｙ  ｍｏｂｉｌｅ  ｓｕｂｓｃｒｉｂｅｒ  ｉｄｅｎｔｉｔｙ）または元のロケーション・エリア識別情報（ｌｏｃａｔｉｏｎ  ａｒｅａ  ｉｄｅｎｔｉｔｙ）ＬＡＩ（例えば、第１のＶＬＲの再開の後ではない）とを含む場合、ＭＴＲＦ−サポートされた（ＭＴＲＦ−ｓｕｐｐｏｒｔｅｄ）第２のモバイル交換センタ（第２のＶＭＳＣ）または第２のビジター・ロケーション・レジスタ（第２のＶＬＲ）は、第１のＶＭＳＣ／第１のＶＬＲに対して送信されるＭＡＰ（モバイル・アプリケーション部分（Ｍｏｂｉｌｅ  Ａｐｐｌｉｃａｔｉｏｎ  Ｐａｒｔ））ロケーション・アップデート・メッセージの中にＭＴＲＦ−サポートされたフラグと、第２のＶＭＳＣ／第２のＶＬＲの番号とを含むことができる。
【００６３】
ステップｊにおいて、ＭＴＲＦ−サポートされた第２のＶＭＳＣ／第２のＶＬＲは、ＭＡＰロケーション・アップデート・メッセージの中にＭＴＲＦ−サポートされたフラグを含んでおり、またホーム加入者サーバ（ｈｏｍｅ  ｓｕｂｓｃｒｉｂｅｒ  ｓｅｒｖｅｒ）ＨＳＳまたはＨＬＲに対してＭＡＰロケーション・アップデート・メッセージを送信する。
【００６４】
ステップｋにおいて、ＭＴＲＦ−サポートされたフラグを含むＭＡＰロケーション・アップデート・メッセージを受信した後に、ＭＴＲＦ−サポートされたＨＳＳ／ＨＬＲは、第１のＶＭＳＣと、第２のＶＭＳＣとにおけるローミング協定に基づいて、第１のＶＭＳＣと、第２のＶＭＳＣとの間のＭＴＲＦコールを認可すべきかどうかを決定する。ＭＴＲＦが認可される場合、ＨＳＳ／ＨＬＲは、ＭＡＰロケーション・キャンセル・メッセージを第１のＶＭＳＣ／第１のＶＬＲに対して送信し、そのＭＡＰロケーション・キャンセル・メッセージは、ＭＴＲＦサポートされ、また認可されたフラグと、第２のＶＭＳＣ／第２のＶＬＲの番号とを含んでいる。ＭＴＲＦが認可されない場合、ＨＳＳ／ＨＬＲは、ＭＡＰロケーション・キャンセル・メッセージを第１のＶＭＳＣ／第１のＶＬＲに対して送信し、ロケーション・キャンセル・メッセージは、ＭＴＲＦサポートされ、また認可されないフラグを含んでいる。
【００６５】
ステップｌにおいて、第１のＶＭＳＣ／第１のＶＬＲは、ロケーション・キャンセル確認メッセージをＨＬＲに対して送信する。
【００６６】
ステップｍにおいて、第１のＶＭＳＣ／第１のＶＬＲが、ＭＡＰロケーション・キャンセル・メッセージを受信するときに、第１のＶＭＳＣ／第１のＶＬＲが、ページングしている場合、またＭＡＰロケーション・キャンセル・メッセージが、ＭＴＲＦサポートされ、また認可されたフラグを含んでいる場合、またはＭＡＰロケーション・キャンセル・メッセージが、ＭＴＲＦサポートされ、また認可されたフラグも、ＭＴＲＦサポートされ、また認可されないフラグも含んでいないが、第１のＶＭＳＣ／第１のＶＬＲが、ステップｈの前にＭＴＲＦ−サポートされたフラグを受信している場合には、第１のＶＭＳＣ／第１のＶＬＲは、ページング・タイマーを停止させる。
【００６７】
ステップｎにおいて、ＨＬＲは、第２のＶＭＳＣ／第２のＶＬＲのために加入者データを挿入する。
【００６８】
ステップｏにおいて、ＨＬＲが、ＭＴＲＦを認可する場合、それは、第２のＶＭＳＣ／第２のＶＬＲの番号を使用して、ＰＲＮ要求を送信する。具体的には、ＨＬＲが、ＭＴＲＦをサポートし、またＨＳＳ／ＨＬＲと、第２のＶＭＳＣとのローカル・オペレータ・ポリシーとローミング協定とに基づいて、ＭＴＲＦを適用することを決定する場合、それは、ＭＡＰ  ＰＲＮ要求を第２のＶＬＲに対して送信し、そのＰＲＮ要求は、ＨＳＳ／ＨＬＲから受信されるようなＭＡＰ  ＰＲＮの中にＭＴＲＦ識別子と、第１のＭＳＲＮと、パラメータとを含んでいる。
【００６９】
ステップｐにおいて、第２のＶＭＳＣ／第２のＶＬＲは、ＭＡＰ  ＰＲＮ要求を受信し、その要求は、ＭＴＲＦ識別子、第１のＶＭＳＣ／第１のＭＳＲＮの番号を含んでおり、第２のＶＭＳＣ／第２のＶＬＲは、ＭＴＲＦについてのＨＬＲと、第１のＶＭＳＣとを用いてローミング協定をチェックすることができる。
【００７０】
ステップｑにおいて、ＨＬＲは、第２のＶＭＳＣ／第２のＶＬＲのために加入者データを挿入し続ける。
【００７１】
ステップｒにおいて、ＨＬＲは、第２のＶＭＳＣ／第２のＶＬＲに対してロケーション・アップデート肯定応答を送信する。
【００７２】
ステップｓにおいて、ロケーション・アップデート肯定応答を受信した後に、第２のＶＭＳＣ／第２のＶＬＲは、第１のＶＭＳＣ／第１のＶＬＲに対してＭＳＲＮを送信する。具体的には、第２のＶＭＳＣ／第２のＶＬＲが、ＭＡＰ  ＰＲＮ要求を受け入れる場合、それが、ＨＬＲを用いてＭＡＰロケーション・アップデート・プロシージャを成功裏に完了した後に、第２のＶＭＳＣ／第２のＶＬＲは、第１のＶＭＳＣ／第１のＶＬＲから第２のＶＭＳＣ／第２のＶＬＲへとコールをルーティングすることを可能にするようにＭＳＲＮを割り付ける。代替的な一実施形態として、第２のＶＭＳＣ／第２のＶＬＲは、ＨＬＲを用いてＭＡＰアップデート・ロケーション・プロシージャを完了する前に、ＭＳＲＮを割り付けることができる。
【００７３】
ステップｔにおいて、第２のＶＭＳＣ／第２のＶＬＲは、ＭＡＰ  ＰＲＮ要求を通して第２のＭＳＲＮを第１のＶＭＳＣ／第１のＶＬＲに対して送信し、第２のＶＭＳＣ／第２のＶＬＲからＭＳＲＮを受信した後に、第１のＶＭＳＣ／第１のＶＬＲは、どのような進行中の課金も停止させる。
【００７４】
ステップｕにおいて、第２のＶＭＳＣ／第２のＶＬＲから第２のＭＳＲＮを受信した後に、それは、第１のＶＭＳＣ／第１のＶＬＲが、コールを第２のＶＭＳＣ／第２のＶＬＲに対して中継することを可能にしており、第１のＶＭＳＣ／第１のＶＬＲは、第１のＭＳＲＮと、第２のＭＳＲＮと、第２のＶＭＳＣ／第２のＶＬＲの番号とを含む、課金データ・レコードのために必要とされるデータを閉じる。
【００７５】
ステップｖにおいて、第１のＶＭＳＣ／第１のＶＬＲは、第１のＭＳＲＮと、第２のＭＳＲＮと、第２のＶＭＳＣの番号とに基づいて、ＣＤＲを閉じる。
【００７６】
さらなるプロシージャは、ロケーション・アップデートの算出と、ＩＭＥＩチェックと、ＴＭＳＩの再割付けなどとを必要とする。
【００７７】
ステップｗにおいて、ＩＡＭメッセージが、移動局のロケーション・アップデート・プロシージャの完了の前に受信される場合、第２のＶＭＳＣ／第２のＶＬＲは、ロケーション・アップデート・プロシージャの完了まで、または通常の終端コール・プロシージャが開始されるとすぐに、コールのセットアップを遅延させることができ、より一般的な状況においては、ロケーション・アップデートが、「フォロー・オン（ｆｏｌｌｏｗ−ｏｎ）」表示とともに、受信される場合に、また第２のＶＭＳＣ／第２のＶＬＲが、「フォロー・オン」表示をサポートする場合に、ＩＡＭは、待機コールとして取り扱われ、またはビジー（ＣＦＢ）として転送される可能性があり、これは、「フォロー・オン」コールの状態と、加入者の加入データとに依存しており、ロケーション・アップデート受け入れメッセージが、ＨＬＲからＭＡＰロケーション・アップデート肯定応答を受信した後の任意の時刻に移動局に対して送信される可能性があり、すなわち、移動局を伴うロケーション・アップデート・プロシージャは、移動局ローミング転送プロシージャによって影響を受けない。
【００７８】
ステップｘにおいて、第２のＶＭＳＣ／第２のＶＬＲは、移動局に対してロケーション・アップデート受信メッセージを送信し、それによって、ＴＭＳＩ再割付けを完了している。
【００７９】
ステップｙにおいて、第２のＶＭＳＣ／第２のＶＬＲは、移動局とのコールを確立する。
【００８０】
次に、標準のＭＴモバイル終端コール・プロシージャが、開始される。
【００８１】
ステップｚにおいて、第２のＶＭＳＣ／第２のＶＬＲは、第１のＭＳＲＮと、第２のＭＳＲＮと、第１のＶＭＳＣの番号とに基づいて、ＣＤＲ課金を開始する。
【００８２】
ＭＴＲＦ  ＣＳフォールバック・コールが、終了するときに、第２のＶＭＳＣは、ＣＤＲを閉じ、またそれを第１のＶＭＳＣに対して送信し、第１のＶＭＳＣは、ＭＳＲＮと、ＭＳＣトランク回線／番号とに基づいて、第２のＶＭＳＣによって送信されるＣＤＲと、第１のＶＭＳＣにおけるＣＤＲとに対する統合（相関および一体化）を実行し、第１のＶＭＳＣは、さらに、ＨＰＬＭＮにおけるホーム課金デバイス１に対して統合されたＣＤＲを送信し、ホーム課金デバイス１は、第１のＭＳＲＮと、第１のＶＭＳＣの番号とに基づいて、生成されるＣＤＲを含んでいる。次いで、ホーム課金デバイス１は、ホーム課金デバイス１の中のＣＤＲと、ローカルＣＤＲとに対する統合処理を実行して、加入者についてのターゲットＣＤＲを生成する。
【００８３】
代わりに、第１のＶＭＳＣと、第２のＶＭＳＣとは、課金するためにホーム課金デバイス１に対してその上のＣＤＲを直接に送信することもできる。ホーム課金デバイス１は、ＭＳＣ識別情報、第１のＭＳＲＮ、第２のＭＳＲＮに関連づけられて、複数のルーティング経路についての課金を実行する。
【００８４】
図６は、本発明の別の態様による、ＣＳフォールバックＭＴＲＦコールについてのローミング課金のためのデバイスの図を示すものである。ホーム課金デバイス１は、第１の課金取得モジュール６０１と、統合処理モジュール６０２とを備えている。
【００８５】
ホーム課金デバイス１の第１の課金取得モジュール６０１は、少なくとも１つのローミング課金デバイスから課金データ・レコードを受信して、少なくとも１つの課金データ・レコードを取得し、そこでは、ユーザ機器は、少なくとも１つのローミング課金デバイスに対応するＶＰＬＭＮに対してローミングする。具体的には、ユーザ機器は、複数のＶＰＬＭＮに対してローミングし、ユーザが、ＶＰＬＭＮに対してローミングするたびごとに、ＶＰＬＭＮにおけるローミング課金デバイスは、ユーザ機器のローミング情報に基づいて、課金データ・レコードを生成し、例えば、ＶＰＬＭＮに対応するモバイル交換センタ（ＭＳＣ）の番号、ＣＳフォールバック・タイムスタンプ、ＶＰＬＭＮにおけるユーザ機器の移動局ローミング番号（ＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、ＧＭＳＣと、ＶＭＳＣとの間のトランキング情報（例えば、着信トランク番号、すなわち、コールが開始されたＶＭＳＣトランク番号、および発信トランク番号、すなわち、コールがＶＭＳＣを離れたトランク番号）などに基づいて、ＶＰＬＭＮにおけるユーザ機器の課金データ・レコードを生成しており、その後に、ＶＰＬＭＮにおけるローミング課金デバイスは、ユーザ機器に対応するホーム課金デバイス１に対して、その中の課金データ・レコードを送信し、または後のローミング課金デバイスは、後の課金デバイスの課金データ・レコードと、それ自身の課金データ・レコードを統合する、前の課金デバイスに対して、その中の課金データ・レコードを送信し、また次いで、さらに、ホーム課金デバイス１に対して統合された課金データ・レコードを送信する最も早期のローミング課金デバイスまで、前の課金デバイスに先行するローミング課金デバイスに対して統合された課金データ・レコードを送信するなどである。ここで、ユーザ機器は、最も早期のローミング課金デバイスに対応するＶＰＬＭＮから、後のローミング課金デバイスに対応するＶＰＬＭＮへと一つずつローミングする。
【００８６】
ホーム課金デバイス１の統合処理モジュール６０２は、ホーム課金デバイスの中のローカル課金データ・レコードと組み合わせて、少なくとも１つの課金データ・レコードに基づいて、統合処理を実行して、統合されたターゲット課金データ・レコードを取得する。
【００８７】
ここで、ローカル課金データ・レコードは、ホーム課金デバイス１によって生成され、または取得される課金データ・レコードであり、例えば、第１のＭＳＲＮ番号（第１のＶＰＬＭＮにおけるユーザ機器の移動局ローミング番号）と第１のＶＭＳＣ番号（第１のＶＰＬＭＮに対応するモバイル交換センタの番号）とに基づいて生成される課金データ・レコードであり、あるいはローカル課金データ・レコードは、他のローミング課金デバイスから送信され、またホーム課金デバイス１によって既に取得されているような、課金データ・レコードを含むこともできる。
【００８８】
例えば、ユーザ機器が、最初に第１のＶＰＬＭＮから第２のＶＰＬＭＮへとローミングし、また次いで、第２のＶＰＬＭＮから第３のＶＰＬＭＮへとローミングするものと仮定する。３つのＶＰＬＭＮの中のローミング課金デバイスは、ユーザ機器のためにそれぞれ３つのＶＰＬＭＮにおいてその課金データ・レコードを生成し、またユーザ機器に対応するＨＰＬＭＮ（ホーム公衆陸上モバイル・ネットワーク）におけるホーム課金デバイス１に対して３つの課金データ・レコードを送信し、ホーム陸上課金デバイス１は、ホーム課金デバイス１の中のローカル課金データ・レコードと組み合わせて、３つの課金データ・レコードに対する統合処理を実行して、統合されたターゲット課金データ・レコードを取得する。
【００８９】
別の例では、３つのＶＰＬＭＮにおけるローミング課金デバイスは、ユーザ機器のために、それぞれ３つのＶＰＬＭＮにおいてその課金データ・レコードを生成する。第３のＶＰＬＭＮにおける第３のローミング課金デバイスは、第２のＶＰＬＭＮにおける第２のローミング課金デバイスに対して、その中の第３の課金データ・レコードを送信し、第２のローミング課金デバイスは、第２のローミング課金デバイスの中の第３の課金データ・レコードと、第２の課金データ・レコードとに対する統合処理を実行して、統合された第１の候補課金データ・レコードを取得し、またそれを第１のＶＰＬＭＮにおける第１のローミング課金デバイスに対して送信し、第１のローミング課金デバイスは、さらに、第１のローミング課金デバイスの中の第１の候補課金データ・レコードと、第１の課金データ・レコードとに対する統合処理を実行して、統合された第２の課金データ・レコードを取得し、またそれをＨＰＬＭＮにおけるホーム課金デバイス１に対して送信し、ホーム課金デバイス１は、さらに、ホーム課金デバイス１の中の第２の候補課金データ・レコードと、ローカル課金データ・レコードとに対する統合処理を実行して、統合されたターゲット課金データ・レコードを取得する。
【００９０】
図７は、本発明の好ましい一実施形態による、ＣＳフォールバックＭＴＲＦコールについてのローミング課金のためのデバイスの図を示すものである。ここで、ユーザ機器は、ＨＰＬＭＮから第１のＶＰＬＭＮへとローミングし、またさらに、第１のＶＰＬＭＮから第２のＶＰＬＭＮへとローミングする。ホーム課金デバイス１は、第１の課金取得モジュール７０１と、統合処理モジュール７０２とを備えており、第１のローミング課金デバイス２は、第１の課金生成モジュール７０３と、第１の課金送信モジュール７０４とを備えており、第２のローミング課金デバイス３は、第２の課金生成モジュール７０５と、第２の課金送信モジュール７０６とを備えている。
【００９１】
第１のＶＰＬＭＮにおける第１のローミング課金デバイス２の第１の課金生成モジュール７０３は、第１のＶＰＬＭＮにおけるユーザ機器の第１のローミング関連の情報に基づいて、例えば、第１のＶＰＬＭＮに対応する、第１のモバイル交換センタ（ＭＳＣ）の番号、ＣＳフォールバック・タイムスタンプ、ＶＰＬＭＮにおけるユーザ機器に対応する第１の移動局ローミング番号（第１のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、ゲートウェイ・モバイル交換センタＧＭＳＣと、第１のモバイル交換センタＶＭＳＣとの間のトランク情報（例えば、着信トランク番号、すなわち、コールが開始されたＶＭＳＣトランク番号、および発信トランク番号、すなわち、コールがＶＭＳＣを離れたトランク番号）などに基づいて、第１の課金データ・レコードを生成する。
【００９２】
当業者なら、上記の第１のローミング関連の情報は、例示的なものにすぎず、他の既存の第１のローミング関連の情報、または将来において場合によっては進化させられることもあるそのような情報が、本発明に対して適用可能な場合には、本発明の保護範囲の内部に含まれるべきでもあり、また参照によりここで組み込まれていることを理解すべきである。
【００９３】
第１のローミング課金デバイス２の第１の課金送信モジュール７０４は、ユーザ機器に対応するＨＰＬＭＮにおけるホーム課金デバイス１に対して第１の課金データ・レコードを送信する。
【００９４】
その後に、ユーザ機器は、第１のＶＰＬＭＮから第２のＶＰＬＭＮへとローミングする。第２のローミング課金デバイス３の第２の課金生成モジュール７０５は、ＶＰＬＭＮ２におけるユーザ機器の第２のローミング関連の情報に基づいて、例えば、第２のＶＰＬＭＮに対応する、第２のモバイル交換センタ（ＭＳＣ）の番号、ＣＳフォールバック・タイムスタンプ、ＣＳフォールバック相関ＩＤ、第１のＶＰＬＭＮにおけるユーザ機器に対応する第１の移動局ローミング番号（第１のＭＳＲＮ）、第２のＶＰＬＭＮにおけるユーザ機器に対応する第２の移動局ローミング番号（第２のＭＳＲＮ）、国際モバイル加入者識別情報（ＩＭＳＩ）、移動局国際ＩＳＤＮ番号（ＭＳＩＳＤＮ）、着信コール番号、コール持続時間、第１のＶＰＬＭＮに対応する第１のモバイル交換センタ（第１のＶＭＳＣ）と、第２のモバイル交換センタ（第２のＶＭＳＣ）との間のトランク回線情報などに基づいて、第２の課金データ・レコードを生成する。
【００９５】
当業者なら、上記の第２のローミング関連の情報は、例示的なものにすぎず、他の既存の第２のローミング関連の情報、または将来において場合によっては進化させられることもあるそのような情報が、本発明に対して適用可能な場合には、本発明の保護範囲の内部に含まれるべきでもあり、また参照によりここで組み込まれていることを理解すべきである。
【００９６】
第２のローミング課金デバイス３の第２の課金送信モジュール７０６は、ユーザ機器に対応するＨＰＬＭＮにおけるホーム課金デバイス１に対して第２の課金データ・レコードを送信する。
【００９７】
ホーム課金デバイス１の第１の課金取得モジュール７０１は、第１のローミング課金デバイスから第１の課金データ・レコードを受信し、そこでは、ユーザ機器は、第１のローミング課金デバイスに対応するＨＰＬＭＮ１に対してローミングし、第２のローミング課金デバイスから第２の課金データ・レコードを受信し、そこでは、ユーザ機器は、第１のＶＰＬＭＮを経由して第２のローミング課金デバイスに対応するＨＰＬＭＮ２に対してローミングする。
【００９８】
ホーム課金デバイス１の統合処理モジュール７０２は、ホーム課金デバイスの中のローカル課金データ・レコードと組み合わせて、第１の課金データ・レコードと、第２の課金レコードとに基づいて、統合処理を実行して、統合されたターゲット課金データ・レコードを取得する。
【００９９】
図８は、本発明のさらなる一実施形態による、ＣＳフォールバックＭＴＲＦコールについてのローミング課金のためのデバイスの図を示すものである。ここで、ユーザ機器は、ＨＰＬＭＮから第１のＶＰＬＭＮへとローミングし、またさらに、第１のＶＰＬＭＮから第２のＶＰＬＭＮへとローミングする。ホーム課金デバイス１は、第１の課金取得モジュール８０１と、統合処理モジュール８０２とを備えており、第１のローミング課金デバイス２は、第１の課金生成モジュール８０３と、第１の課金送信モジュール８０４と、第２の課金取得モジュール８０７とを備えており、第２のローミング課金デバイス３は、第２の課金生成モジュール８０５と、第２の課金送信モジュール８０６とを備えている。
【０１００】
第２のローミング課金デバイス３の第２の課金生成モジュール８０５は、第２のＶＰＬＭＮにおける第２のローミング関連の情報に基づいて、例えば、第２のＶＰＬＭＮに対応する、第２のモバイル交換センタＭＳＣの番号、ＣＳフォールバック・タイムスタンプ、ＣＳフォールバック相関ＩＤ、第１のＶＰＬＭＮにおけるユーザ機器に対応する第１の移動局ローミング番号（第１のＭＳＲＮ）、第２のＶＰＬＭＮにおけるユーザ機器に対応する第２の移動局ローミング番号（第２のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、第１のＶＰＬＭＮに対応する第１のモバイル交換センタ（第１のＶＭＳＣ）と、第２のモバイル交換センタ（第２のＶＭＳＣ）との間のトランク情報などに基づいて、第２の課金データ・レコードを生成する。
【０１０１】
第２のローミング課金デバイス３の第２の課金送信モジュール８０６は、第１のＶＰＬＭＮに対応する第１のローミング課金デバイスに対して第２の課金データ・レコードを送信する。
【０１０２】
第１のローミング課金デバイス２の第２の課金取得モジュール８０７は、第２のローミング課金デバイス３から第２の課金データ・レコードを受信し、そこでは、ユーザ機器は、第１のＶＰＬＭＮから第２のローミング課金デバイスに対応する第２のＶＰＬＭＮへとローミングし、そこでは、第２の課金データ・レコードは、第２のＶＰＬＭＮにおけるユーザ機器に対応する第２のＭＳＲＮを含んでいる。
【０１０３】
その後に、第１のローミング関連の情報に基づいて、例えば、第１のＶＰＬＭＮに対応する、第１のモバイル交換センタ（ＭＳＣ）の番号、ＣＳフォールバック・タイムスタンプ、第１のＶＰＬＭＮにおけるユーザ機器に対応する第１の移動局ローミング番号（第１のＭＳＲＮ）、国際モバイル加入者識別情報（ＩＭＳＩ）、移動局国際ＩＳＤＮ番号（ＭＳＩＳＤＮ）、コーリング・パーティ番号、コール持続時間、ゲートウェイ・モバイル交換センタＧＭＳＣと、第１のモバイル交換センタＶＭＳＣとの間のトランク情報などに基づいて、生成される課金データ・レコードと組み合わせて、第２の課金データ・レコードに基づいて、第１のローミング課金デバイス２の第１の課金生成モジュール８０３は、第２の課金データ・レコードと、第１のローミング関連の情報とに対する統合処理を実行して、第１の課金データ・レコードを取得する。
【０１０４】
次に、第１のローミング課金デバイス２の第１の課金送信モジュール８０４は、ユーザ機器に対応するＨＰＬＭＮにおけるホーム課金デバイス１に対して第１の課金データ・レコードを送信する。
【０１０５】
ホーム課金デバイス１の第１の課金取得モジュール８０１は、第１のローミング課金デバイス１から第１の課金データ・レコードを受信し、そこでは、第１の課金データは、第２のローミング課金デバイスを含む第２の課金データ・レコードによって生成され、そこでは、ユーザ機器は、第１のローミング課金デバイスに対応する第１のＶＰＬＭＮから第２のローミング課金デバイスに対応する第２のＶＰＬＭＮへとローミングする。
【０１０６】
ホーム課金デバイス１の統合処理モジュール８０２は、第１の課金データ・レコードに基づいて、またホーム課金デバイスの中のローカル課金データ・レコードと組み合わせて、統合処理を実行する。
【０１０７】
当業者にとっては、本発明が、上記の例示の実施形態についての詳細だけには限定されず、また本発明は、本発明の趣旨または基本的な特徴を逸脱することなく、他の特定の実施形態を用いて実施され得ることが、明らかである。したがって、どのような観点からも、実施形態は、例証的なものであり、また非限定的なものとして見なされるべきである。本発明の範囲は、上記説明の代わりに、添付の特許請求の範囲によって限定される。それゆえに、特許請求の範囲の内部に含まれる同等な要素の意味と、その範囲の内部のすべての変形形態とは、本発明の範囲内に含まれることを意図している。特許請求の範囲の中の任意の参照数字は、関与する特許請求項を限定するものとして見なされるべきである。さらに、「備えている／含んでいる（ｃｏｍｐｒｉｓｅ）」および「含む（ｉｎｃｌｕｄｅ）」のようなそのような用語は、他のユニットまたはステップを除外するものではなく、また単数形は、複数形を除外するものではないことが、明らかである。装置の請求項において述べられるような複数のユニットまたはモジュールは、ソフトウェアまたはハードウェアを通して単一のユニットまたはモジュールによって実施される可能性もある。第１の（ｆｉｒｓｔ）や第２の（ｓｅｃｏｎｄ）などの用語を使用して、名前を表しており、どのような特定のシーケンスも表してはいない。
【図１】
0006491597.tif 000002
【図２】
0006491597.tif 000003
【図３】
0006491597.tif 000004
【図４】
0006491597.tif 000005
【図５】
0006491597.tif 000006
【図６】
0006491597.tif 000007
【図７】
0006491597.tif 000008
【図８】
0006491597.tif 000009